(57)【要約】【課題】物品の充当前に装填可能、内装箱の上から全ての物品の装填が可能、垂直方向に２室以上に仕切ることが可能、水平方向に２室以上に仕切ることが可能、及び１枚の仕切り体から形成できる仕切り体を提供する。【解決手段】第１の側板、第１の棚板及び第１のフラップ板が下開きの概略コ字形状になるよう形成され、第２の側板、第２の棚板及び第２のフラップ板が下開きの概略コ字形状になるよう形成された仕切り体であって、前記仕切り体がその中央板を上下方向に向けて内装箱内に収納された状態で、前記中央板の表面側及び他面側の空間を前記第１の棚板及び前記第２の棚板によって、前記内装箱内の空間を前記中央板の縦方向に複数に仕切れる。【選択図】図２
2018008736.tif 000002
【特許請求の範囲】
【請求項１】
内装箱内への設置により当該内装箱内の空間を複数個所に仕切り、その仕切られた各個所内に物品を収容するための仕切り体において、
中央板の幅方向の一側に第１の折線を介して連結された第１の側板と、前記幅方向の他側に第２の折線を介して連結された第２の側板と、を有し、
前記第１の側板の縦方向の上側に第３の折線を介して延設された第１の棚板と、
前記第１の棚板の先端に第４の折線を介して延設された第１のフラップ板と、
前記第２の側板の縦方向の上側に第５の折線を介して延設された第２の棚板と、
前記第２の棚板の先端に第６の折線を介して延設された第２のフラップ板とを備え、
前記中央板の一面側に対して前記第１の側板が略直角になるよう前記第１の折線から曲げられ、前記第１の棚板が第３の折線から前記中央板側に曲げられ、前記第１のフラップ板が第４の折線から縦方向の他側に曲げられた状態で、前記第１の側板、前記第１の棚板及び前記第１のフラップ板が下開きの概略コ字形状になるよう形成され、
前記中央板の他面側に対して前記第２の側板が略直角になるよう前記第２の折線から曲げられ、前記第２の棚板が第５の折線から前記中央板側に曲げられ、前記第２のフラップ板が第６の折線から縦方向他側に曲げられた状態で、前記第２の側板、前記第２の棚板及び前記第２のフラップ板が下開きの概略コ字形状になるよう形成され、
上記の仕切り体が前記中央板を上下方向に向けて前記内装箱内に収納された状態で、前記中央板の表面側及び他面側の空間を前記第１の棚板及び前記第２の棚板によって、前記内装箱内の空間を前記中央板の縦方向に複数に仕切れるようにしたことを特徴とする仕切り体。
【請求項２】
前記第１の棚板及び第２の棚板には、幅方向の少なくとも片側に補強用フラップをそれぞれ設け、当該補強用フラップが第１の棚板及び第２の棚板に対して折り曲げられて補強するものであることを特徴とする請求項１に記載の仕切り体。
【請求項３】
前記仕切り体は、さらに、前記第１の側板の縦方向の下側に第７の折線を経由して延設された第３の棚板と、
前記第３の棚板の先端に第８折線を介して延設された前記３のフラップ板と、
前記第２の側板の縦方向の板側に第９の折線を介して延設された第４の棚板と、
前記第４の棚板の先端に第１０の線を介して延設された前記４のフラップ板とを備えたものであって、
前記中央板の一面側に対して略直角に曲がった状態の前記第１の側板に対して前記第３の棚板が前記第７の折線から前記中央板側に曲げられ、第３のフラップ板が第８の折線から縦方向の他側に曲げられた状態で、前記第１の側板に対して、前記第３の棚板、及び前記第３のフラップ板が下開き概略コの字形状をなすようにし、
前記中央板の他面側に対して略直角に曲がった状態の前記第２の側板に対して前記第４の棚板が前記第９の折線から前記中央板側に曲げられ、第４のフラップ板が第１０の折線から縦方向の他側に曲げられた状態で、前記第２の側板に対して、前記第４の棚板、及び前記第４のフラップ板が下開き概略コの字形状をなすようにしたことを特徴とする請求項１又は２の記載の仕切り体。
【請求項４】
前記第３の棚板及び第４の棚板には、幅方向の少なくとも片側に補強用フラップをそれぞれ設け、当該補強用フラップが第３の棚板及び第４の棚板に対して折り曲げられて補強するものであることを特徴とする請求項１に記載の仕切り体。
【発明の詳細な説明】
【技術分野】
【０００１】
本発明は、内装箱内に設置して内部空間を仕切りそこにピロー容器製品等の物品を収容する仕切り体に関する。
【背景技術】
【０００２】
従来、数ｍL（ミリリットル）から数１０ｍL程度の小容量液体製品容器の一つとしてピロー容器製品が汎用される（特許文献１参照）。
【０００３】
このピロー容器製品は、流通段階での損傷を防ぐために内装箱へ水平に充当するが、中央が膨らみかつ容易に変形することから垂直方向の装填数を多くすると崩れやすく、また、積み重ねたピロー容器自身の重みや輸送時の衝撃に耐える必要がある。
【０００４】
そのため、充当する際のピロー容器は、その積み段数も多くできない（内装箱へのピロー容器の充当数を少なくせざるを得ない）ため、多くの内装箱が必要となり、コストの上昇を招くと共に、外段の箱高さが低く、水平方向のサイズが大きくなり荷扱いもし難くなっていた。
【０００５】
これに対し、内装箱内に、コ字型タイプの仕切り体（特許文献２参照）や、水平方向に複数の仕切り体を貼付した棚状の仕切り体を入れることでピローの積み段数を増やす棚タイプの仕切り体（特許文献３参照）や、巾字型の仕切り体により水平方向の装填数を増やすことが可能な巾タイプの仕切り体（特許文献４、特許文献５参照）が考案されている。
【０００６】
しかし、前記コ字仕切り体タイプでは高さ方向にのみ装填数を増やすことが可能で、水平方向に装填数を増やすことはできないことからその効果は限定的である。また、棚タイプは、複数シートの貼り合わせ品となることからコストが高くなりやすく、かつ、側面からピローを挿入するために充当作業性が悪いものであった。さらに、巾タイプも中央に隙間を空けてピローを積み上げ、その隙間に仕切り体を挿入する必要があることから、充当する際の作業性が悪いものであった。
【先行技術文献】
【特許文献】
【０００７】
【特許文献１】実開平０３−７５７３８号公報
【特許文献２】特開２００２−２６４９２７号公報
【特許文献３】実開昭５９−１４１０２６号公報
【特許文献４】登録実用新案第３０３０８５４号公報
【特許文献５】実用新案登録第３１１３９０９号公報
【発明の概要】
【発明が解決しようとする課題】
【０００８】
そこで、本発明は、物品の充当前に装填可能、内装箱の上から全ての物品の装填が可能、垂直方向に２室以上に仕切ることが可能、水平方向に２室以上に仕切ることが可能、及び１枚の仕切り体から形成できる仕切り体を提供することを課題とする。
【課題を解決するための手段】
【０００９】
本発明は仕切り体に係り、内装箱内への設置により当該内装箱内の空間を複数個所に仕切り、その仕切られた各個所内に物品を収容するための仕切り体において、
中央板の幅方向の一側に第１の折線を介して連結された第１の側板と、前記幅方向の他側に第２の折線を介して連結された第２の側板と、を有し、
前記第１の側板の縦方向における上側に第３の折線を介して延設された第１の棚板と、
前記第１の棚板の先端に第４の折線を介して延設された第１のフラップ板と、
前記第２の側板の縦方向における上側に第５の折線を介して延設された第２の棚板と、
前記第２の棚板の先端に第６の折線を介して延設された第２のフラップ板とを備え、
前記中央板の一面側に対して前記第１の側板が略直角になるよう前記第１の折線から曲げられ、前記第１の棚板が第３の折線から前記中央板側に曲げられ、前記第１のフラップ板が第４の折線から縦方向の他側に曲げられた状態で、前記第１の側板、前記第１の棚板及び前記第１のフラップ板が下開きの概略コ字形状になるよう形成され、
前記中央板の他面側に対して前記第２の側板が略直角になるよう前記第２の折線から曲げられ、前記第２の棚板が第５の折線から前記中央板側に曲げられ、前記第２のフラップ板が第６の折線から縦方向他側に曲げられた状態で、前記第２の側板、前記第２の棚板及び前記第２のフラップ板が下開きの概略コ字形状になるよう形成され、
上記の仕切り体が前記中央板を上下方向に向けて前記内装箱内に収納された状態で、前記中央板の表面側及び他面側の空間を前記第１の棚板及び前記第２の棚板によって、前記内装箱内の空間を前記中央板の縦方向に複数に仕切れるようにしたことを特徴とする仕切り体である。
【発明の効果】
【００１０】
本発明の仕切り体によれば、前記第１の側板、前記第１の棚板、及び前記第１のフラップ板が下開きの概略コの字形状をなすようにし、前記第２の側板、前記第２の棚板、及び前記第２のフラップ板が下開きの概略コの字形状をなすように曲げられたら仕切り体が、前記中央板を上下方向に向けて前記内装箱内に収納された状態で、前記中央板の表面側及び他面側の空間を前記第１の棚板及び前記第２の棚板によって、前記内装箱内の空間を前記中央板の縦方向に複数に仕切れて各空間を形成できるようにしたので、物品の充当前に仕切り体を内装箱内に装填可能であり、当該内装箱の上か全ての物品の装填が可能であり、前記内装箱内に強度を保って垂直方向に２室以上に仕切ることが可能であり、１枚の仕切り体から形成できるという優れた効果を奏し得る。
【００１１】
なお、棚板の幅方向の少なく一方に補強用フラップを形成することにより、強度を保って物品を収容できる。
【図面の簡単な説明】
【００１２】
【図１】本発明の第１実施形態に係る仕切り体の展開した説明図である。
【図２】図１の仕切り体の折り畳む手順の説明図であり、（ａ）は折り畳み前、（ｂ）が中央板に対して各側板を曲げた状態、（ｃ）が仕切り体を内装箱内に設置した状態、（ｄ）が内装箱内の仕切り体を折り畳み終わった状態である。
【図３】本発明の第２実施形態に係る仕切り体の展開図である。
【図４】図３の仕切り体の折り畳む手順を示す図であり、（ａ）は折り畳み前、（ｂ）が中央板に対して各側板を曲げた状態、（ｃ）が仕切り体を内装箱内に設置した状態、（ｄ）が内装箱内の仕切り体を折り畳み終わった状態である。
【図５】本発明の第３実施形態に係る仕切り体の展開した説明図である。
【図６】本発明の第４実施形態に係る仕切り体の展開した説明図である。
【図７】図６の仕切り体の折り畳む手順の説明図であり、（ａ）は折り畳み前、（ｂ）が各側板を折り曲げた状態、（ｃ）が中央板に対して各側板を曲げた状態、（ｄ）が仕切り体を内装箱内に設置した状態である。
【図８】図６の仕切り体における折り畳み手順の続きの説明図であり、（ａ）が仕切り体の棚板を折り曲げた状態、（ｂ）が側板を折り曲げた状態、（ｃ）仕切り体の折り曲げが終了した状態である。
【発明を実施するための形態】
【００１３】
以下、本発明の実施形態について添付図面を参照して説明する。
なお、各図面において仕切り体Ａ…における中央板２０等の各部の符号を付している。
【００１４】
〔第１実施形態に係る仕切り体Ａ〕
図１は第１実施形態に係る仕切り体Ａの展開図、図２は前記仕切り体Ａを折り畳み内装箱Ｂ内に設置する手順を示す図である。
【００１５】
図１、図２（ｄ）に示すように、前記仕切り体Ａは、内装箱Ｂへの設置により当該内装箱Ｂ内の空間を複数個所に仕切り、その仕切られた各個所内に物品を収容するためのものである。
【００１６】
図１に示すように、仕切り体Ａは、中央板２０の幅方向の一側（図１では向かって左側）に第１の折線５０（破線で示す）を介して連結された第１の側板１０と、前記幅方向の他側（図１では向かって右側）に第２の折線６０（破線で示す）を介して連結された第２の側板３０と、を有している。
【００１７】
そして、仕切り体Ａにおいて、前記第１の側板１０には、その縦方向の上側に第３の折線５１を介して延設された第１の棚板１１と、前記第１の棚板１１の先端に第４の折線５２を介して延設された第１のフラップ板１２とを備えている。
【００１８】
前記第２の側板３０には、その縦方向の上側に第５の折線６１を介して延設された第２の棚板３１と、前記第２の棚板３１の先端に第６の折線６２を介して延設された第２のフラップ板３２とを備えている。
【００１９】
前記仕切り体Ａは、図２（ｄ）に示すように、前記中央板２０の一面側（図２で手前面側）に対して前記第１の側板１０が略直角になるよう前記第１の折線５０から曲げられ、前記第１の棚板１１が第３の折線５１から前記中央板２０側に曲げられ、前記第１のフラップ板１２が第４の折線５２から縦方向の他側（図２で下側）に曲げられた状態で、前記第１の側板１０、前記第１の棚板１１及び前記第１のフラップ板１２が下開きの概略コ字形状になるよう形成される。
【００２０】
また、前記中央板２０の他面側（図２で奥側）に対して前記第２の側板３０が略直角になるよう前記第２の折線６０から曲げられ、前記第２の棚板３１が第５の折線６１から前記中央板２０側に曲げられ、前記第２のフラップ板３２が第６の折線６２から縦方向他側（図２で下側）に曲げられた状態で、前記第２の側板３０、前記第２の棚板３１及び前記第２のフラップ板３２が下開きの概略コ字形状になるよう形成される。
【００２１】
上記のように折り曲げられた仕切り体Ａが前記中央板２０を上下方向に向けて前記内装箱Ｂ内に収納された状態で、前記中央板２０の表面側及び他面側の空間を前記第１の棚板１１及び前記第２の棚板３１によって、前記中央板２０の縦方向に複数に仕切れるようにしたものである。
【００２２】
なお、前記中央板２０と第１の棚板１１、第２の棚板３１とが隣接する個所間は、切断線７０、７１（図１に実線で示す）にて切り離されている。
【００２３】
また、前記仕切り体Ａは、全体が紙材や樹脂材の単層又は積層のシート材や材質としており、仕様によってダンボール材を用いてクッション性を向上させたり、表面コーティングをして耐水性耐油性を向上させたりすることが好ましい。
【００２４】
折り曲げの工程を図２によって説明する。
【００２５】
図２（ａ）に示すように、仕切り体Ａを、前記中央板２０の表面側に対して前記第１の側板１０を矢印８０方向に第１の折線５０から略直角に折り曲げ、前記中央板２０の裏面側に対して第２の側板３０を矢印８１方向に第２の折線６０から直角近辺に折り曲げる。これによって（ｂ）に示すように、仕切り体Ａを上下方向視で略Ｚ形状にする。
【００２６】
そして、同（ｃ）に示すように、第１の側板１０が曲がった状態の仕切り体Ａを内装箱Ｂ内に収容して、第１の側板１０に対して前記第１の棚板１１を矢印８２方向に折線５１から曲げ、さらに前記第１のフラップ板１２を折線５２から図中矢印８２方向に曲げて、同（ｄ）に示すように、前記第１の側板１０、前記第１の棚板１１、及び前記第１のフラップ板１２が下開きの概略コの字形状をなすようにする。
【００２７】
同様に、図２（ａ）から（ｂ）に示すように、前記中央板２０の裏面側に対して前記第２の側板３０を第２の折線６０によって略直角に折り曲げる。同（ｃ）から（ｄ）に示すように、第２の側板３０が曲がった状態の仕切り体Ａを内装箱Ｂ内に収容して、曲がった状態の第２の側板３０に対して前記第２の棚板３１を第５の折線６１から図の矢印８３方向に曲げ、さらに前記第２のフラップ板３２を折線６２から曲げて、前記第２の側板３０、前記第２の棚板３１、及び前記第２のフラップ板３２が下開きの概略コの字形状をなすようにする。
【００２８】
上記のように曲げた第１実施形態の仕切り体Ａによれば、前記第１の側板１０、前記第１の棚板１１、及び前記第１のフラップ板１２を折線５０、５１、５２から折り曲げて概略コの字形状をなすようにし、前記第２の側板３０、前記第２の棚板３１、及び前記第２のフラップ板３２を折線６０、６１、６２から折り曲げて概略コの字形状をなすようにし、上記のように曲げた仕切り体Ａを前記中央板２０が立つ状態で前記内装箱Ｂ内に収納して、前記中央板２０の表面側及び裏面側の空間を前記第１の棚板１１及び前記第２の棚板３１によって前記中央板２０の縦方向に仕切って各空間（９０ａ、９０ｂと９１ａ、９１ｂ）を形成できるようにしている。
【００２９】
したがって、ピロー容器等の物品の充当前に仕切り体Ａを内装箱Ｂ内に装填可能であり、第１の棚板１１、第２の棚板３１を折り曲げ前に空間９０ａ、９１ａに物品を充当し、その後、第１の棚板１１、第２の棚板３１を折り曲げて仕切り、第１の棚板１１、第２の棚板３１の上の空間９０ｂ、９１ｂに物品を充当することにより、当該内装箱Ｂの上から物品の装填が可能である。そして、前記内装箱Ｂ内に強度を保って垂直方向に２室以上に仕切って各空間（９０ａ、９０ｂと９１ａ、９１ｂ）を形成することが可能であり、仕切り体自体も単純に１枚の仕切り体Ａから形成できるという優れた効果を奏し得る。
【００３０】
〔第２実施形態に係る仕切り体Ａ１〕
次に第２実施形態に係る仕切り体Ａ１を説明する。
図３は第２実施形態に係る仕切り体Ａ１の展開図、図４は前記仕切り体Ａ１を折り畳み内装箱Ｂ内に設置する手順を示す図である。
【００３１】
図３、図４（ｄ）に示すように、前記仕切り体Ａ１は、内装箱Ｂへの設置により当該内装箱Ｂ内の空間を複数個所に仕切り、その仕切られた各個所内に物品を収容するためのものである。
【００３２】
そして、第２実施形態に係る仕切り体Ａ１では、第１の棚板１１及び第２の棚板３１には、幅方向の少なくとも片側（第２実施形態では、中央板２０側）に折線５３ａ、６３ａを介して補強用フラップ１１１、３１１をそれぞれ設け、その折線５３ａ、６３ａから当該補強用フラップ１１１、３１１を第１の棚板１１及び第２の棚板３１に対して直角方向に折り曲げて補強するようにしたものである。前記中央板２０に対して前記補強用フラップ１１１、補強用フラップ３１１を切り離す概略「し」の字形状の切断線７２、７３が形成されており、前記中央板２０において先方が幅狭に形成されている。その他の構成は図１−図２の第１実施形態と同様部分に同一符号を付している。
【００３３】
第２実施形態に係る仕切り体Ａ１によれば、折り曲げて内装箱Ｂ内に収容する手順は，図４（ａ）−（ｃ）に示した部分が第１実施形態と図２（ａ）−（ｃ）に示した部分と同様であるが、第１の棚板１１に補強用フラップ１１１が設けられ、第２の棚板３１に補強用フラップ３１１が設けられており、図４（ｄ）に示すように、これらの補強用フラップ１１１、３１１を折線５３ａ、折線６３ａからそれぞれ上向き又は下向きに折り曲げて中央板２０に沿わせる。これによって、補強用フラップ１１１、３１１が第１の棚板１１、第２の棚板３１に物品の重量が掛かっても撓むことを強固に防止する補強材の機能を奏する。
【００３４】
〔第３実施形態に係る仕切り体Ａ２〕
図５に第３実施形態に係る仕切り体Ａ２の展開図を示す。前記仕切り体Ａ２は、内装箱Ｂへの設置により当該内装箱Ｂ内の空間を複数個所に仕切り、その仕切られた各個所内に物品を収容するためのものである。
【００３５】
第３実施形態に係る仕切り体Ａ２では、図５に示すように、第２実施形態に係る仕切り体Ａ１と異なり、第１の棚板１１に、幅方向の両側に補強用フラップ１１１、１１２を設け、第２の棚板３１の幅方向の両側に補強用フラップ３１１、３１２をそれぞれ設けたものである。当該補強用フラップ１１１、１１２及び３１１、３１２を第１の棚板１１及び第２の棚板３１に対して折線５３ａ、５３ａ、６３ａ、６３ａを介して、直角方向に折り曲げて補強するようにしたものである。その他の構成は図３の第２実施形態と同様部分に同一符号を付している。
【００３６】
第３実施形態に係る仕切り体Ａ２によれば、当該補強用フラップ１１１、１１２及び３１１、３１２を第１の棚板１１及び第２の棚板３１にそれぞれ設けたので両側から第１の棚板１１、第２の棚板３１を補強できるので、上記した第２実施形態の仕切り体Ａ１片側の補強用フラップ１１１、３１１に比較して第１の棚板１１、第２の棚板３１に物品の重量が掛かってもより強く撓みを防止する補強材の機能を奏する。
【００３７】
〔第４実施形態に係る仕切り体Ａ３〕
図６は第４実施形態に係る仕切り体Ａ３の展開図、図７−図８は前記仕切り体Ａ３を折り畳み内装箱Ｂ内に設置する手順を示す図である。なお、図６−図８に示す仕切り体Ａ３は、前記図３−図４に示した第２実施形態と同様部分に同一符号を付している。
【００３８】
第４実施形態に係る仕切り体Ａ３は、図６、図８（ｃ）に示すように、内装箱Ｂへの設置により当該内装箱Ｂ内の空間を複数個所に仕切り、その仕切られた各個所内に物品を収容するためのものである。
【００３９】
図６に示すように、前記仕切り体Ａ３は、図３に示した第２実施形態に係る仕切り体Ａ１に、さらに、前記第１の側板１０の縦方向の他端（実施形態では下側）に第７の折線５４を経由して延設された第３の棚板１３と、前記第３の棚板１３の先端に第８の折線５５を介して延設された前記３のフラップ板１４とを備えると共に、前記第２の側板３０の縦方向の他端（実施形態では下側）に第９の折線６４を経由して延設された第４の棚板３３と、前記第４の棚板３３の先端に第１０の折線６５を介して延設された前記４のフラップ板３４とを備えたものである。
【００４０】
〔前記第１の側板１０側部分について〕
詳しくは、図６に示すように、前記第１の側板１０に関連する部分において、前記第１の側板１０と第３の棚板１３との間には、切断線７４とその切断線７４に接して前記第７の折線５４が形成される。また、切断線７４は前記第７の折線５４よりも前記上下方向で下の位置で外側（中央板２０の反対側）から幅方向内側に切り込んで途中で上方向に曲がって、前記第７の折線５４の端部に至り、全体に略Ｌ形状を呈して形成されている。したがって、前記第１の側板１０は、上記の切断線７４によって、略Ｌ字形状を呈し、折り曲げ時に突出する下端部１０ａを形成している。
【００４１】
前記仕切り体Ａ３において、第１の側板１０に関連する部分の折り曲げ状態では、図８（ｃ）に示すように、前記中央板２０の一面側に対して略直角に曲がった状態の前記第１の側板１０に対して前記第３の棚板１３が前記第７の折線５４から前記中央板２０側に曲げられ、第３のフラップ板１４が第８の折線５５から縦方向の他側に曲げられた状態になる。したがって、上記折り曲げ状態では、前記第１の側板１０の下端部１０ａ、前記第３の棚板１３、及び前記第３のフラップ板１４が下開き概略コの字形状をなすようにしている。
【００４２】
〔前記第２の側板３０側部分について〕
図６に示すように、前記第２の側板３０に関連する部分において、前記第２の側板３０と第４の棚板３３との間には、切断線７５とその切断線７５に連続する第９の折線６４が形成される。また、前記切断線７５は、前記第９の折線６４よりも前記上下方向で下の位置で外側（中央板２０の反対側）から幅方向内側に切り込んで途中で上方向に曲がって、前記第９の折線６４の端部に至り、全体に略Ｌ字形状を呈して形成されている。その切断線７５よりも上の位置に前記第９の折線６４が形成される。したがって、前記第２の側板３０は、上記の切断線７５によって略Ｌ字形状を呈し、折り曲げ時に突出する下端部３０ａを形成している。
【００４３】
また、図８（ｃ）に示すように、前記中央板２０の他面側に対して略直角に曲がった状態の前記第２の側板３０に対して前記第４の棚板３３が前記第９の折線６４から前記中央板２０側に曲げられ、第４のフラップ板３４が第１０の折線６５から縦方向の他側に曲げられた状態になる。したがって、上記折り曲げ状態では、前記第２の側板３０の下端部３０ａ、前記第４の棚板３３、及び前記第４のフラップ板３４が下開き概略コの字形状をなすようにしている。
【００４４】
〔補強用フラップ１１１、３１１、１３１、３３１〕
そして、第４実施形態に係る仕切り体Ａ３では、第１の棚板１１及び第２の棚板３１には、幅方向の少なくとも片側（第４実施形態では、中央板２０側）に補強用フラップ１１１、３１１をそれぞれ設け、当該補強用フラップ１１１、３１１を第１の棚板１１及び第２の棚板３１に対して直角方向に折り曲げて補強し、それと共に、第３の棚板１３及び第４の棚板３３に、幅方向の少なくとも片側（第４実施形態では、中央板２０側）に補強用フラップ１３１、３３１をそれぞれ設け、当該補強用フラップ１３１、３３１を第３の棚板１３及び第４の棚板３３に対して直角方向に折り曲げて補強するようにしたものである。これら補強用フラップ１１１、３１１と中央板２０との間には概略「し」の字形状切断線７２ａ、７３ａが形成されている。また、補強用フラップ１３１、３３１と中央板２０との間には、概略「し」の字形状切断線７２ｂ、７３ｂが形成されている。なお、補強用フラップ１１１、３１１は、第１の棚板１１、第２の棚板３１に折線５３ａ、６３ａで繋がれている。また、補強用フラップ１３１、３３１が、第３の棚板１３、第４の棚板３３に折線５３ｂ、６３ｂで繋がれている。
【００４５】
〔前記仕切り体Ａ３の折り曲げ手順〕
折り曲げの手順は、まず、図７（ａ）に示す展開状態の仕切り体Ａ３を、同図（ｂ）に示すように、第１の側板１０に対して、第３の棚板１３を表側（手前側）に起こすように第７の折線５４から折り曲げて第１の側板１０表側に近接させる（矢印「８４」で示す）。また、第２の側板３０に対して、第４の棚板３３を裏側（向こう側）に押し込むように第９の折線６４から折り曲げて第２の側板３０裏側に近接させる（矢印「８５」で示す）。
【００４６】
そして、同図（ｃ）に示すように、中央板２０に対して、第１の側板１０を折線５０から表側（手前側）に折り曲げ（矢印「８０」で示す）、また第２の側板３０を折線６０から裏側（向こう側）に押し込むように折り曲げる（矢印「８１」で示す）。これにより、中央板２０に対して、第１の側板１０、第２の側板３０がクランク形状を呈する。その状態で仕切り体Ａ３を、中央板２０を上下に向けて同図（ｄ）に示すように、内装箱Ｂ内に収容する。
【００４７】
そして、図８（ａ）に示すように、第３のフラップ板１４及び補強用フラップ１３１を第８の折線５５及び折線５３ｂから第３の棚板１３に対して９０°に下向きに曲げて、さらに第３の棚板１３を第７の折線５４から９０°曲げ戻して（曲げ方向を矢印「８６」で示す）、内装箱Ｂの底部に平行に折り曲げる。前記第１の側板１０の下端部１０ａと第３の棚板１３と第３のフラップ板１４とで下開きの概略コ字形状を呈するようにする。
【００４８】
そして、図８（ｂ）に示すように、前記第１の側板１０に対して前記第１の棚板１１、前記第１のフラップ板１２、及び補強用フラップ１１１を前記図４に示した第２実施形態の仕切り体Ａ１と同様に矢印８２方向に曲げる。
【００４９】
また、第４のフラップ板３４及び補強用フラップ３３１を第１０の折線６５及び折線６３ｂから第４の棚板３３に対して９０°に下向きに曲げて、さらに第４の棚板３３を第９の折線６４から９０°曲げ戻して（曲げ方向を矢印「８７」で示す）、内装箱Ｂの底部に平行に折り曲げる。前記第２の側板３０の下端部３０ａと第４の棚板３３と第４のフラップ板３４とで下開きの概略コ字形状を呈するようにする。
【００５０】
そして、図８（ｃ）に示すように、前記第２の側板３０に対して前記第２の棚板３１、前記第２のフラップ板３２、及び補強用フラップ３１１を前記図４に示した第２実施形態の仕切り体Ａ１と同様に矢印８３方向に曲げる。
【００５１】
上記のように曲げた仕切り体Ａ３を前記中央板２０が立つ状態で前記内装箱Ｂ内に収納して、前記中央板２０の表面側の空間を前記第１の棚板１１及び第３の棚板１３によって縦方向に仕切り、前記中央板２０の裏面側の空間を前記第２の棚板３１及び第４の棚板３３によって縦方向に仕切り、それら縦方向に仕切って各空間（９０ａ〜９０ｃ，９１ａ〜９１ｃ）を形成できるようにしたものである。この仕切り体Ａ３によれば、第１〜第３実施形態に比較して、一枚の仕切り体によって多数の空間に細かく仕切ることができ、一層がたつきを少なくすることができ、また、垂直方向の装填数を増やすことができる。
【００５２】
また、前記仕切り体Ａ３を収容した内装箱Ｂ内に、ピロー等の物品を収納する際には、図８（ａ）の状態で物品を収容し、第３の棚板１３、第４の棚板３３を折り曲げて物品を覆う。同図（ｂ）に示すようにその上から第１の棚板１１、第２の棚板３１を折り曲げで物品を覆い、同図（ｃ）に示す状態にする。前記第１の棚板１１、前記第２の棚板３１上に物品を収容する。以上のようにして、縦方向に仕切って各空間（９０ａ〜９０ｃ，９１ａ〜９１ｃ）に物品を収容でき、多数の物品をがたつきなく内装箱Ｂ内に収容できる。
【００５３】
なお、以上の各実施形態は本発明の適切例を示すが、本発明の範囲内で種々に変形実施できる。例えば、第４実施形態では前記第１の棚板１１、前記第２の棚板３１、第３の棚板１３、第４の棚板３３の片側に補強用フラップ１１１、３１１、１３１、３３１を設けていたが、それら棚板の両側に設けてもよい。また、仕切り体自体の強度が十分であれば、補強用フラップを設けなくてもよい。
【産業上の利用可能性】
【００５４】
本発明の仕切り体は、洗剤、柔軟剤、化粧品等のピロー容器等の各種物品を収納する内装箱を仕切る仕切り体に利用することができる。
【符号の説明】
【００５５】
Ａ  仕切り体（第１実施形態）
Ａ１  仕切り体（第２実施形態）
Ａ２  仕切り体（第３実施形態）
Ａ３  仕切り体（第４実施形態）
Ｂ  内装箱
１０  第１の側板
１０ａ  第１の側板の下端部
１１  第１の棚板
１２  第１のフラップ板
１３  第３の棚板
１４  第３のフラップ板
２０  中央板
３０  第２の側板
３０ａ  第２の側板の下端部
３１  第２の棚板
３２  第２のフラップ板
３３  第４の棚板
３４  第４のフラップ板
５０  第１の折線
５１  第３の折線
５２  第４の折線
５４  第７の折線
５５  第８の折線
６０  第２の折線
６１  第５の折線
６２  第６の折線
６４  第９の折線
６５  第１０の折線
１１１  補強用フラップ
１３１  補強用フラップ
３１１  補強用フラップ
３３１  補強用フラップ
【図１】
2018008736.tif 000003
【図２】
2018008736.tif 000004
【図３】
2018008736.tif 000005
【図４】
2018008736.tif 000006
【図５】
2018008736.tif 000007
【図６】
2018008736.tif 000008
【図７】
2018008736.tif 000009
【図８】
2018008736.tif 000010